(57)【要約】【課題】柔らかい履き心地を得られるとともに、脱げにくいスリッパ、サンダル等の履物を得る。【解決手段】甲皮１３における足の入り口１１ａ側の縁部分に、内側に入り込む湾形状部２３が形成され、該湾形状部２３に、二段発泡の発泡シートを柔軟な外皮で包んでなる縁部材２２が固定された、スリッパ１１の甲皮構造。縁部材２２の特異な柔軟性によって、足を締め付けることなく柔らかく接触させ、スリッパ１１と足の一体性を保つ。【選択図】図１
0003152096.tif 000002
【実用新案登録請求の範囲】
【請求項１】
甲皮における少なくとも足の入り口側の縁部分が、二段発泡の発泡シートからなる部材で構成された
履物の甲皮構造。
【請求項２】
甲皮における足の入り口側の縁部分が、二段発泡の発泡シートからなる縁部材で構成された
履物の甲皮構造。
【請求項３】
前記縁部分に、内側に入り込む湾形状部が形成され、
該湾形状部に、前記縁部材が固定された
請求項１または請求項２に記載の履物の甲皮構造。
【請求項４】
前記湾形状部が、前記甲皮の両端部の立ち上がり部分の間に、前記縁部分の長さ方向に沿って長く形成され、
前記縁部材が、前記湾形状部を塞ぐとともに、縁部材の縁が前記両側の立ち上がり部分の縁を繋ぐ仮想外形線上に位置するように固定された
請求項３に記載の履物の甲皮構造。
【請求項５】
前記部材または縁部材が、前記発泡シートを柔軟な外皮で包んで構成された
請求項１から請求項４のうちのいずれか一項に記載の履物の甲皮構造。
【考案の詳細な説明】
【技術分野】
【０００１】
この考案は、履物台の上に甲皮が固定されたスリッパやサンダルなどの履物に関し、より詳しくは、足に対する当たりがやわらかい上に脱げにくい、履物の甲皮構造に関する。
【背景技術】
【０００２】
スリッパやサンダルの甲皮は、足を履物台の上に保持するため、履物台に固定されている。固定は、甲皮の縁と履物台の縁を一体にするもので、甲皮は、足が入るように横断面アーチ状になっている。つまり、足に履くと、甲皮が足の甲を覆うようになる。また、甲皮は足を入れる入り口側から先までの全体が同じ硬さの一つの部材で構成されていた。
【０００３】
しかし、このような構造の甲皮では、甲皮と履物台の間の空間と足の形状がピタリと合うことは稀で、脱げ易いことが多いという難点があった。
【０００４】
このような点を解消するため、下記特許文献１に開示されているスリッパが提案された。
【先行技術文献】
【特許文献】
【０００５】
【特許文献１】実用新案登録第２５２８９６１号公報
【考案の概要】
【考案が解決しようとする課題】
【０００６】
この特許文献１のスリッパは、甲皮における足の入り口側の縁の裏面にクッション部材を取り付けたものである。クッション部材は、ゴムチューブ等の弾性芯材を芯材とするクッション体を伸縮性網状生地で包んで構成したものである。このような構成であるため、スリッパを履いたときに足の甲にフィットする上に、伸縮性網状生地による接触抵抗で脱げにくく歩き易くなるという効果があると記載されている。
【０００７】
しかしながら、クッション部材は甲皮の裏面に固定されており、しかもゴムチューブ等の弾性芯材を芯材とする構造であるので厚みがある。このため、弾性を有するとはいえ、クッション部材によって足が圧迫されることがある。履いたときに圧迫感があると、クッション部材に対応する部分よりも先の部分がきつくない場合であって、クッション部材が柔らかい場合であっても、拘束されたような硬い感じを受けることになる。
【０００８】
そこで、この考案は、あくまでも柔らかい履き心地を得られるようにするとともに、脱げにくくすることを主たる目的とする。
【課題を解決するための手段】
【０００９】
そのための手段は、甲皮における少なくとも足の入り口側の縁部分が、二段発泡の発泡シートからなる部材で構成された履物の甲皮構造である。前記部材のみで甲皮の全体を構成するもよい。
【００１０】
別の手段は、甲皮における足の入り口側の縁部分が、二段発泡の発泡シートからなる縁部材で構成された履物の甲皮構造である。
【００１１】
二段発泡の発泡シートは、通常の発泡シートに比べて発泡倍率が高いので、柔軟性や円滑性に優れる。また、このような二段発泡の発泡シートからなる部材や縁部材のみが、甲皮における足の入り口側の縁部分に存在する。このため、甲皮における少なくとも足の入り口側の縁部分での足に対する当たりが柔らかい。そして、履いたときには柔らかく足に接触する。また、縁部分が変形しても、アーチ状に湾曲しているのですぐに復元する。
【００１２】
前記縁部分に、内側に入り込む湾形状部が形成され、該湾形状部に、前記縁部材が固定された履物の甲皮構造であるもよい。
【００１３】
縁部材の縁を除くすべての部分が本体部材に固定されることになるので、湾形状部分を有しない場合に比して、縁部材の形態保持能力が高まる。
【００１４】
この場合、前記湾形状部が、前記甲皮の両端部の立ち上がり部分の間に、前記縁部分の長さ方向に沿って長く形成され、前記縁部材が、前記湾形状部を塞ぐとともに、縁部材の縁が前記両側の立ち上がり部分の縁を繋ぐ仮想外形線上に位置するように固定された履物の甲皮構造であるとよい。
【００１５】
足の甲に柔らかく接する部分を長く取ることができるとともに、湾形状部を形成したことの前述の利点も得られる。しかも、縁部材の縁が前記仮想外形線上に位置するので、甲皮の縁を縁取りしたようなシンプルな外観に仕上げられる。
【００１６】
また、前記部材または縁部材については、前記発泡シートを柔軟な外皮で包んで構成するとよい。
【００１７】
二段発泡の発泡シートを柔軟な外皮が覆うので、発泡シートの機能を阻害することなく、外皮の材質に応じた作用効果を得られる。
【考案の効果】
【００１８】
以上のように、この考案によれば、甲皮における少なくとも足の入り口側の部分が特異な柔軟性を有するので、足に対する当たりが柔らかい。しかも、二段発泡の発泡シートからなる部材や縁部材は、甲皮の内側面に固定するのではなく、それ自体で甲皮の縁部分を構成するので、足を入れる空間を狭めることはない。このため、足に対する圧迫感を感じさせないようにすることができる。このため、実際に履いたときでも柔らかい履き心地を得られる。そして、少なくとも縁部分は、足に柔らかく接するので、甲皮の他の部分とも協働して、足に履いた状態を維持し、脱げにくくすることができる。
【図面の簡単な説明】
【００１９】
【図１】スリッパの斜視図。
【図２】甲皮の本体部材の平面図。
【図３】スリッパにおける甲皮の縁部分の断面構造を説明する説明図。
【考案を実施するための形態】
【００２０】
この考案を実施するための一形態を、以下図面を用いて説明する。  
図１は、履物の一例としてのスリッパ１１（左右一対のもののうちの一方のみ）の斜視図である。この図に示したようにスリッパ１１は、足を乗せる履物台１２の前側部分に、甲皮１３を固定した構造である。甲皮１３は、略帯状であり、両側縁１３ａが履物台１２の両側縁１２ａに固定される。
【００２１】
このような甲皮１３は、極一般的な形状をなすが、このスリッパ１１においては本体部材２１と縁部材２２からなる。これら本体部材２１と縁部材２２は、同一面上に並ぶものである。
【００２２】
本体部材２１は、甲皮１３における足の入り口１１ａ側の縁部分を除く部分を構成するもので、スリッパ１１の甲皮１３として必要な適宜の硬さを有する。一方、縁部材２２は、甲皮１３における足の入り口１１ａ側の縁部分を構成するもので、本体部材２１よりも柔軟性を有する。
【００２３】
まず、本体部材２１の形状について説明する。  
図２に示したように本体部材２１は、曲線で囲まれた通常の形状の一部分を切り欠いた形である。具体的には、甲皮１３における足の入り口１１ａ側の縁部分に内側に入り込む湾形状部２３が形成されている。湾形状部２３は、前記縁部分の左右両側の両端部２４、換言すれば履物台１２に固定したときに履物台１２から立ち上がる立ち上がり部分の間に、長さ方向に長く形成されている。また、湾形状部２３は、立ち上がり部分（両端部２４）から入り込む部分を含めて緩やかな曲線で区切られている。図２において前記両端部２４間に描いた仮想線は、両端部２４同士を繋いだときに甲皮１３が切り欠きのない前記通常の形状となる仮想外形線Ａである。なお、前記の「通常の形状」とは、甲皮１３として一般的な形状をいい、何らかの目的を持った特別な突出や凹み等を有しない形状である。
【００２４】
このような形状の本体部材２１は、図３の断面構造に示したように可撓性を有するシート状の芯材２５と、この芯材２５の表面を覆う表皮２６と、芯材２５の裏面に接合されて足と接触する接足シート２７と、接足シート２７の前後両側縁を隠す帯状の化粧縁２８を有する。
【００２５】
つぎに、縁部材２２の形状について説明する。縁部材２２は、図１に示したように、本体部材２１の湾形状部２３を塞ぎ、換言すれば埋めるとともに、当該縁部材２２の縁２２ａが本体部材２１における前記仮想外形線Ａ（図２参照）上に位置する形状である。このため、縁部材２２が本体部材２１の湾形状部２３に固定されると、本体部材２１と縁部材２２とで通常の甲皮形状となる。
【００２６】
このような形状の縁部材２２は、二段発泡の発泡シート２９を柔軟な外皮３０で包んだ構造である。二段発泡の発泡シート２９は、たとえばＥＶＡなどの適宜の材料で構成される。二段発泡であるので、発泡倍率が高く、柔軟性に優れた発泡シート２９である。この発泡シート２９は、前記本体部材２１の湾形状部２３を埋める帯状の形態をなす。また厚さは、本体部材２１の厚さと同等またはそれよりも若干厚く設定されるとよい。
【００２７】
外皮３０は、たとえばＰＵなどの適宜の材料で構成される。大きさは、２つ折りしたときに前記発泡シート２９の全体を包み込めるとともに、重ね代を取れる大きさである。
【００２８】
これらからなる縁部材２２は、外皮３０の内側面の所定位置に発泡シート２９を貼り付けた後、外皮３０を２つ折りして、外皮３０の外周縁部３０ａを重合して接着する。
【００２９】
本体部材２１に対して一体化するには、縁部材２２の重合された外周縁部３０ａを本体部材２１の芯材２５の裏面に接着した上で、接足シート２７と化粧縁２８を、外皮３０の外周縁部と芯材２５の裏面に接合する。そして、化粧縁２８と外周縁部３０ａと表皮２６の重合部分は、縫合する。図１中、１３ｂは縫い糸である。
【００３０】
このように構成されたスリッパ１１では、履物台１２に足を乗せ、甲皮１３と履物台１２の間の空間に足を入れたときに、縁部材２２が足に柔らかく接する。また、履くときなどに足が甲皮１３の縁部材２２部分に当たっても、縁部材２２が柔らかく受け止める。これは、縁部材２２を本体部材２１の湾形状部２３の縁に固定したことにより、縁部材２２の基部において容易に屈曲することによっても実現する。
【００３１】
そして、縁部材２２は、屈曲や変形をしても、内部に包み込まれた発泡シート２９の弾力性と甲皮１３の形状によって即座に復元する。この作用は、本体部材２１に形成された湾形状部２３の形状によってさらに良好になる。これは、本体部材２１の両端部２４が縁部材２２の長さ方向の両側に位置して、縁部材２２の縁２２ａ以外のすべての部分を支えている構造になるからである。
【００３２】
また、本体部材２１と縁部材２２は同一面上に並んでおり、厚さ方向に重ならない構造であるので、足に履いたときに縁部材２２に当たる部分が圧迫されることはなく、柔らかい。手で触っても柔らかい。そして、足に履いたときには縁部材２２が足の甲の一部を、本体部材２１と共にアーチ状に覆い、弾力的に接触するので、フィット感が高く、脱げにくくすることができる。
【００３３】
さらに、縁部材２２は発泡シート２９を外皮３０で覆った構造であるので、発泡シート２９が露出することはなく、耐久性を高められるとともに、外皮３０を構成する材質に応じた性質、たとえば非透水性、接触抵抗、デザイン性などを付与することができる。
【００３４】
この考案の構成と、前述の一形態の構成との対応において、  
この考案の履物は、前記のスリッパに対応し、  
以下同様に、  
二段発泡の発泡シートからなる部材と二段発泡の発泡シートからなる縁部材は、前記縁部材に対応し、  
二段発泡の発泡シートからなる縁部材は、縁部材に対応するも、  
この考案は、前述の構成のみに限定されるものではなく、その他の形態を採用することができる。
【００３５】
たとえば、甲皮は、つま先を露出しない形態のものであるもよく、甲皮の全体を二段発泡の発泡シートかなる部材で構成するもよい。
【００３６】
また、縁部材を備える場合において、甲皮における足の入り口側の縁の全体を縁部材で構成することもできる。
【００３７】
さらに、甲皮における足の入り口側の縁部分が、普通の形状ではなく特異な形態をなすものであってもよい。
【符号の説明】
【００３８】
１１…スリッパ
１１ａ…足の入り口
１３…甲皮
２２…縁部材
２２ａ…縁
２３…湾形状部
２４…両端部
２９…発泡シート
３０…外皮
Ａ…仮想外形線
【図１】
0003152096.tif 000003
【図２】
0003152096.tif 000004
【図３】
0003152096.tif 000005